【事件の表示】
　平成　９年特許願第３１０８２９号「無線操縦式ヘリコプターに搭載する薬剤散布装置」拒絶査定不服審判事件〔平成１１年　５月２５日出願公開、特開平１１−１３８０７０〕について、次のとおり審決する。
【結　論】
　本件審判の請求は、成り立たない。
【理　由】
［１］手続の経緯
　本願は、平成９年１１月１２日の出願であって、平成１９年２月２２日付けで拒絶の理由が通知され、平成１９年４月２７日付けで意見書及び手続補正書が提出されたが、平成１９年６月１日付けで拒絶をすべき旨の査定がなされ、これに対し平成１９年７月４日付けで拒絶査定に対する審判が請求された後、平成１９年８月３日付けで手続補正書が提出され明細書が補正されたものである。
　
［２］平成１９年８月３日付け手続補正書でした補正についての補正却下の決定
　
〔補正却下の決定の結論〕
　平成１９年８月３日付け手続補正書でした補正を却下する。
　
〔理由〕
　
１．本件補正の内容
　平成１９年８月３日付け手続補正書でした明細書の補正（以下、「本件補正」という。）は、特許請求の範囲に関して、本件補正により補正される前の下記（２）に示す請求項１乃至３の記載を下記（１）に示す請求項１のように補正することを含むものである。
　
（１）本件補正後の特許請求の範囲、請求項１　
　「【請求項１】　薬剤タンク（２）を機体の下方及び両側方に沿わせて配置し、該薬剤タンク（２）の中央部を細く構成し、該薬剤タンク（２）の前方に散布器（５）の駆動装置を設けて、該散布器（５）を駆動するモータ（２１）によりインペラ（１６）を直接駆動し、空中にて薬剤を散布する無線操縦式ヘリコプターに搭載される薬剤散布装置において、該薬剤タンク（２）の下部と、前記散布器（５）との間に仕切弁装置（４）を介在させ、該仕切弁装置（４）は、前後方向または左右方向にスライド板（２８）をスライドさせる第一の薬剤落下量調節部と、該スライド板の下方の薬剤通過パイプを横断するシャッター（１９）を開閉させる第二の薬剤落下量調節部を設け、該第一の薬剤落下量調節部を構成するスライド板（２８）は手動で薬剤に合わせた落下量を調整すべく構成し、該第二の薬剤落下量調節部のシャッター（１９）は、飛行時に無線操縦によりバッテリの電力で駆動し、散布量を調節したり、閉じて散布停止を可能とし、
前記第一の薬剤落下量調節部のスライド板（２８）は、端部からネジ軸（３５）を延出し、該ネジ軸（３５）に蝶ナット（３７）を螺装して薬剤の落下量を微調整可能に構成すると共に、該スライド板（２８）に指示板（４１）を固定し、該指示板（４１）をスケール（４２）に沿わせ、前記第二の薬剤落下量調節部を構成するシャッター（１９）は、一体的に取り付けたステー（３１）に、アーム（２４）の一端を接続し、該アーム（２４）の他端はサーボモーター（２５）に接続され、該サーボモーター（２５）の回動によってシャッター（１９）を回動し、薬剤の散布量を調節したり閉じて散布停止を可能とした
　
（２）本件補正前の特許請求の範囲、請求項１乃至３
　「【請求項１】　薬剤タンクを機体の下方及び両側方に沿わせて配置し、該薬剤タンクの中央部を細く構成し、該薬剤タンクの前方に散布器の駆動装置を設けて、該散布器を駆動するモータによりインペラを直接駆動し、空中にて薬剤を散布する無線操縦式ヘリコプターに搭載される薬剤散布装置において、該薬剤タンクの下部と、前記散布器との間に仕切弁装置を介在させ、該仕切弁装置は、前後方向または左右方向にスライド板をスライドさせる第一の薬剤落下量調節部と、該スライド板の下方の薬剤通過パイプを横断するシャッターを開閉させる第二の薬剤落下量調節部を設け、該第一の薬剤落下量調節部を構成するスライド板は手動で薬剤に合わせた落下量を調整すべく構成し、該第二の薬剤落下量調節部のシャッターは、飛行時に無線操縦によりバッテリの電力で駆動し、散布量を調節したり、閉じて散布停止を可能としたことを特徴とする無線操縦式ヘリコプターに搭載する薬剤散布装置。
　【請求項２】　請求項１記載の無線操縦式ヘリコプターに搭載する薬剤散布装置において、前記第一の薬剤落下量調節部のスライド板は、端部からネジ軸を延出し、該ネジ軸に蝶ナットを螺装して薬剤の落下量を微調整可能に構成するとともに、該スライド板に指示板を固定し、該指示板をスケールに沿わせたことを特徴とする無線操縦式ヘリコプターに搭載する薬剤散布装置。
　【請求項３】　請求項１記載の無線操縦式ヘリコプターに搭載する薬剤散布装置において、前記第二の薬剤落下量調節部を構成するシャッターは、一体的に取り付けたステーに、アームの一端を接続し該アームの他端はサーボモーターに接続され、該サーボモーターの回動によってシャッターを回動し、薬剤の散布量を調節したり閉じて散布停止を可能としたことを特徴とする無線操縦式ヘリコプターに搭載する薬剤散布装置。」
　
２．本件補正の適否
　本件補正により、本件補正前の請求項１を削除し、本件補正前に請求項１を引用して記載されていた請求項２に、本件補正前に請求項１を引用して記載されていた請求項３の内容を追加して限定するように補正し、新請求項１とするものであり、平成１４年改正前特許法第１７条の２第４項第１号に規定する請求項の削除、及び、同条同項第２号に規定する特許請求の範囲の減縮、を目的とするものと解される。
　
　そこで、本件補正により補正された請求項１に係る発明（以下、「本願補正発明」という。）が、本件特許出願の際独立して特許を受けることができるものであるかどうかについて以下に検討する。
　
３．刊行物１に記載された発明
　原査定の拒絶の理由に引用された、本願出願前に頒布された刊行物である特開平８−１３１０５０号公報（以下、「刊行物１」という。）には、次のことが記載されている。
　
ａ）「【０００１】
【産業上の利用分野】本発明は、粒状の薬剤等、例えば殺菌剤、殺虫剤、除草剤、あるいは肥料、種籾等（以下、単に粒状物という。）を散布する開閉シャッターを備えた散布装置の構造に関するもので、散布作業時及び作業終了時の開閉シャッターの操作がスムーズであることを特徴とする。
【０００２】
【従来の技術】従来、例えば、粒状物の散布装置としてラジコンヘリ等の小型航空機を利用した空中散布装置が提供されている。
【０００３】該空中散布装置は、ラジコンヘリ等の航空機の機体に支持した粒状物を収容するタンク（以下、単にタンクという。）と、該タンクの下方に支持され、モータによって水平回転させられる遠心放出板等から構成されている（実開平６ー３０１２号公報等参照）。
【０００４】本発明は、前記タンクと散布装置、例えば、前記遠心放出板との間に設けられる粒状物の供給及び供給停止を行う開閉シャッター、具体的にはスライド式の開閉シャッターを備えた粒状物散布装置の構造に関する。」（段落【０００１】〜【０００４】）
　
ｂ）「【００１３】図１に示されたラジコンヘリ１は、左右の重量平均を保つため機体の両側に粒状物Ｐを収容するタンク２、２が支持され、該それぞれのタンク２、２から下方に粒状物Ｐの落下供給管路３、３が延長され、さらに合流され、該管路３、３の合流点３ａの下方に開閉シャッター１６を介して散布装置Ｓが設けられる。
【００１４】図中、４はＤＣモータ５によって水平回転させられる粒状物Ｐの散布装置Ｓの遠心放出板、６は該遠心放出板４の上方に設けられたカバー、７は後に述べる開閉シャッター１６の開閉用のサーボモータである。
【００１５】図２乃至図４に、開閉シャッター構造の一実施例の詳細が示されている。
【００１６】すなわち、前記タンク２から前記遠心放出板４へ供給する粒状物Ｐの供給量を調整するために、前記粒状物Ｐの落下供給管路３の適位置に、まず調量シャッター８が設けられる。具体的には、図面実施例の場合、図１に示された前記タンク２から下方に延長された前記落下供給管路３の前記合流点３ａの下方に、前記調量シャッター８及びさらにその下側に後述する開閉シャッター１６が重合して設けられる。」（段落【００１３】〜【００１６】）
　
ｃ）「【００１７】前記調量シャッター８は、前記タンク２から前記遠心放出板４に供給される粒状物Ｐの量を散布目的に合わせて所定量に保つためのもので、前記合流点３ａの内部開口率を調整するため、全体が前記落下供給管路３の合流点３ａの内径より若干大きい略円板状に形成されている。
【００１８】そして、前記調量シャッター８の一端に設けられた通孔８ａを、前記合流点３ａの管路外周に設けた支持板９の上面の枢止ピン１０に適合させるとともに、他端に構成した垂直片１１にナット１２が固着され、さらに該ナット１２に蝶ボルト１３が螺合させられる構成になっている。さらにまた、前記枢止ピン１０を中心にして前記ナット１２部が回動する位置に対応して湾曲させられ、上下方向中央部に周方向に沿って長孔１４を設けた固定枠１５が設けられる。該固定枠１５は、前記合流点３ａの下方の排出管路３ｂの外周にスペーサ２３を介して取付けられている。
【００１９】前記構成の調量シャッター８は、前記固定枠１５に沿って前記垂直片１１部を回動させ、図示しない前記固定枠１５の外周面に付した目盛りを利用して前記合流点３ａの内部開口率を調整した後、前記固定枠１５の長孔１４の外側から前記蝶ボルト１３を前記ナット１２に螺合して締付ければ、所定位置に完全に固定され、上方の粒状物Ｐの荷重を支持する。なお、前記調量シャッター８の調整範囲は、前記固定枠１５の長孔１４によって規制される。」（段落【００１７】〜【００１９】）
　
ｄ）「【００２１】前記開閉シャッター１６は、前記調量シャッター８で調整された粒状物Ｐを前記遠心放出板４部へ供給及び遮断するために開閉されるもので、前記調量シャッター８の下面に沿って設けられ、前記合流点３ａの内部開口を全閉する大きさに構成される。
【００２２】図面実施例では、前記開閉シャッター１６の閉じ方向前端部を円形とすることなく、閉じ方向前端略中央部に、閉じ方向に突出させた角部１６ａを構成し、粒状物Ｐの仕切りがスムーズに行われるように構成されている。
【００２３】前記開閉シャッター１６は、その後端近くに設けた通孔１７がスペーサ１８を介して前記枢止ピン１０の前記調量シャッター８の下方に適合させられ、その後端部１６ｂが前記サーボモータ７によって引っ張られ、あるいは図３に示すごとく、リターンスプリング１９に補助されて復帰させられる構成となっている。すなわち、前記開閉シャッター１６の後端部１６ｂに連結されたロッド等の作動部材２０の図示しない他端が、前記サーボモータ７に連結され、前記作動部材２０の前記開閉シャッター１６との連結部と、前記作動部材２０が挿通された固定ブラケット２１間に前記リターンスプリング１９が介在させられている。」（段落【００２１】〜【００２３】）
　
ｅ）上記ａ）、ｂ）及び図１等の記載からみて、刊行物１に記載されたものは、ラジコンヘリ１に搭載される、粒状の薬剤等を撒布する撒布装置に関するものであるから、薬剤散布装置が記載されているといえる。また、当該薬剤散布装置は、ラジコンヘリの機体の下方及び両側方に沿わせて配置された薬剤タンク２、２、薬剤タンクより細い落下供給管路３、３及びそれらの合流点３ａから構成される薬剤貯留部、及び、当該薬剤貯留部前方に位置し、ＤＣモータ５により駆動される遠心放出板４を有する散布装置Ｓを備えた、空中にて薬剤を散布するラジコンヘリ１に搭載される薬剤散布装置であり、当該薬剤散布装置は薬剤貯留部の下部と散布装置Ｓとの間にスライド式の開閉シャッターを介在させるものであることがわかる。
　
ｆ）上記ｂ）乃至ｄ）及び図１乃至図４の記載からみて、刊行物１に記載された薬剤散布装置は、調量シャッター８及び開閉シャッター１６の２つのシャッターを備えるものであること、及び、当該調量シャッター８は、枢止ピン１０まわりに固定板１５に沿ってスライドさせるもので、端部に螺装した蝶ボルト１３の手動操作により、遠心放出板４に供給される粒状物の量を調整可能に構成するとともに、調量シャッター８に垂直片１１を設け、当該垂直片１１を固定枠１５の外周面に付した目盛りに沿わせて設けたものである（以下、便宜上「第一の調量機構」という。）こと、さらに、開閉シャッター１６は、調量シャッター８の下方の排出管路３ｂを横断し開閉するもので、後端部１６ｂに作動部材２０の一端を接続し、当該作動部材２０の他端はサーボモータ７に接続され、サーボモータ７の作動によって開閉シャッター１６を回動し、薬剤の散布停止を可能としたものである（以下、便宜上「第２の調量機構」という。）ことがわかる。
　
ｇ）以上のことを総合、勘案すると、刊行物１には、以下の発明が記載されているといえる。
　
　「大径のタンク２、落下供給通路３及び合流点３ａからなる薬剤貯留部を機体の下方及び両側方に沿わせて配置し、該薬剤貯留部の落下供給通路及び合流点３ａを細く構成し、該薬剤貯留部の前方に散布装置ＳのＤＣモータ５を設けて、該散布装置Ｓを駆動するＤＣモータ５により遠心放出板４を直接回転駆動し、空中にて薬剤を散布するラジコンヘリ１に搭載される薬剤散布装置において、該薬剤貯留部の下部と、前記散布装置Ｓとの間に２つの調量機構を介在させ、当該２つの調量機構は、枢止ピン１０まわりに調量シャッター８をスライドさせる第一の調量機構と、該調量シャッター８の下方の排出管路３ｂを横断する開閉シャッター１６を開閉させる第二の調量機構を設け、該第一の調量機構を構成する調量シャッター８は手動で薬剤に合わせた落下量を調整すべく構成し、該第二の調量機構の開閉シャッター１６は、閉じて散布停止を可能とし、前記第一の調量機構の調量シャッター８は端部に蝶ボルト１３を螺装し当該蝶ボルトを操作して薬剤の供給量を調整可能に構成すると共に、該調量シャッター８に垂直片１１を固定し、該垂直片１１を、固定枠１５の外周面に付した目盛りに沿わせ、前記第二の調量機構を構成する開閉シャッター１６は、その後端部１６ｂに、作動部材２０の一端を接続し、該作動部材２０の他端はサーボモータ７に接続され、該サーボモータ７の作動によって開閉シャッター１６を回動し、閉じて散布停止を可能とした、ラジコンヘリ１に搭載する薬剤散布装置。」（以下、「刊行物１に記載された発明」という。）
　
４．本願補正発明と刊行物１に記載された発明との対比　
　本願補正発明と刊行物１に記載された発明とを対比すると、刊行物１に記載された発明の備える「薬剤貯留部」、「散布装置Ｓ」、「ＤＣモータ５」、「遠心放出板４」、「ラジコンヘリ１」、「２つの調量機構」、「第一の調量機構」、「第二の調量機構」、「調量シャッター８」、「排出管路３ｂ」、「開閉シャッター１６」、「垂直片１１」、「固定枠１５の外周面に付した目盛り」、「後端部１６ｂ」、「作動部材２０」及び「サーボモータ７」は、それぞれ本願発明の備える「薬剤タンク（２）」、「散布器（５）」、「モータ（２１）」、「インペラ」、「無線操縦式ヘリコプター」、「仕切弁装置（４）」、「第一の薬剤落下量調節部」、「第二の薬剤落下量調節部」、「スライド板（２８）」、「薬剤通過パイプ」、「シャッター（１９）」、「指示板（４１）」、「スケール」、「ステー（３１）」、「アーム（２４）」及び「サーボモーター」に相当し、また、刊行物１に記載された発明の備える「ＤＣモータ５」は散布装置Ｓの遠心放出板４を駆動するものであるから、本願補正発明の備える「散布器（５）の駆動装置」でもあることは明らかである。
　
　したがって、両者は、「薬剤タンクを機体の下方及び両側方に沿わせて配置し、該薬剤タンクの中央部を細く構成し、該薬剤タンクの前方に散布器の駆動装置を設けて、該散布器を駆動するモータによりインペラを直接駆動し、空中にて薬剤を散布する無線操縦式ヘリコプターに搭載される薬剤散布装置において、該薬剤タンクの下部と、前記散布器との間に仕切弁装置を介在させ、該仕切弁装置は、スライド板をスライドさせる第一の薬剤落下量調節部と、該スライド板の下方の薬剤通過パイプを横断するシャッターを開閉させる第二の薬剤落下量調節部を設け、該第一の薬剤落下量調節部を構成するスライド板は手動で薬剤に合わせた落下量を調整すべく構成し、該第二の薬剤落下量調節部のシャッターは、閉じて散布停止を可能とし、前記第一の薬剤落下量調節部のスライド板は、薬剤の落下量を微調整可能に構成すると共に、該スライド板に指示板を固定し、該指示板をスケールに沿わせ、前記第二の薬剤落下量調節部を構成するシャッターは、一体的に取り付けたステーに、アームの一端を接続し、該アームの他端はサーボモーターに接続され、該サーボモーターの回動によってシャッターを回動し、閉じて散布停止を可能とした無線操縦式ヘリコプターに搭載する薬剤散布装置。」である点一致し、次の相違点を有するものである。
　
〈相違点〉
（１）本願補正発明の備える「スライド板」は、「前後方向または左右方向に」スライドさせ、かつ「端部からネジ軸を延出し、該ネジ軸に蝶ナットを螺装して薬剤の落下量を微調整可能に」したものであるのに対し、刊行物１に記載された発明の備える「調量シャッター８」は、「枢止ピン１０まわりに」スライドさせ、かつ「端部に蝶ボルト１３を螺装し当該蝶ボルトを操作して薬剤の供給量を調整可能に」したものである点（以下、「相違点１」という。）。
　
（２）本願補正発明の備える「シャッター」は、「飛行時に無線操縦によりバッテリの電力で駆動し、散布量を調節したり、閉じて散布停止を可能とし」、かつ「サーボモーターの回動によってシャッターを回動し、薬剤の散布量を調節したり閉じて散布停止を可能とした」ものであるのに対し、刊行物１に記載された発明の備える「開閉シャッター１６」は、閉じて散布停止可能とし、かつ「サーボモーター７の駆動によってシャッター（１９）を回動し、薬剤の散布停止を可能とした」ものである点（以下、「相違点２」という。）。
　
５．当審の判断
　以下、上記２つの相違点について検討する。
　
（１）相違点１について
　水平又は左右方向にスライドするようなスライド機構、及び当該スライド機構にネジ軸を装着し、当該ネジ軸と手動の回転機構（ハンドル）との回転動作により、当該スライド機構を前後方向にスライドさせ散布量を調節するような機構自体は、例えば実公昭４３−１９４９６号公報（平成１９年２月２２日付け拒絶理由通知において先行技術文献の一つとして提示したもの）に記載されているようにこの出願前周知のもの（以下、「周知技術１」という。）であり、刊行物１に記載された発明の備える調量シャッター１６の駆動機構として当該周知技術１を採用し、上記相違点１における本願補正発明のようにすることは、当業者にとり、設計上、適宜に選択・採用する程度のことにすぎない。
　なお、本願補正発明が「薬剤の落下量を微調整可能に」しているのに対し、刊行物１に記載された発明は「薬剤の供給量を調整可能に」しているが、「落下量」も「供給量」も、共に「インペラ」若しくは「遠心放出板４」への供給量を意味するもので実質上の相違はなく、また「微調整」と「調整」の点は単に表現上の相違にすぎず、実質的な差異はない。
　
（２）相違点２について
　刊行物１には、当該「開閉シャッター１６」の作動の詳細について明示の記載はないが、原査定の拒絶の理由に引用された、本願出願前頒布された刊行物である、特開平９−２７５８７７号公報（平成９年１０月２８日公開。以下、「刊行物２」という。）には、同様の遠隔操縦ヘリコプタに搭載される散布装置に関する技術で、散布材タンクの下部と散布器である拡散羽根（３１）との間に調量板（３７）及びシャッタ（３８）を介在させたものにおいて、「施肥シャーシ（２７）に調量サーボモータ（３９）を取り付け、該モータ（３９）をシャッタ（３８）にロッド（４０）を介して連結させ、送信機の遠隔操作によるモータ（３９）の正逆転制御によってシャッタ（３８）を開閉動作させる。」（刊行物２、段落【０００８】）と記載されているように、散布装置の開閉シャッターを飛行時に無線操作で調量、及び開閉駆動することは本願出願前に周知のこと（以下、「周知技術２」という。）であることを参酌すると、刊行物１に記載された発明に上記刊行物２に示唆されるような周知技術２を採用し、上記相違点２における本願補正発明のようにすることは、当業者にとり通常の創作力の範囲でなしうる程度のことにすぎない。
　なお、サーボモータをバッテリの電力で駆動することや、「回動」して駆動することにより被駆動部材を回動させることは、サーボモータを使用する制御技術としてごくありふれたことにすぎず、これらの点については当業者が設計上適宜に設定する程度のことにすぎない。　
　
　また、本願補正発明を全体としてみても、刊行物１に記載された発明並びに周知技術１及び２と比べ、格別顕著な効果が生じたものとも認められない。
　
　したがって、本願補正発明は刊行物１記載の発明並びに及び周知技術１及び２に基づいて、当業者が容易に発明できたものであるから、特許法第２９条第２項の規定により、本件特許出願の際独立して特許を受けることができないものである。
　
６．むすび
　以上の通り、本願補正発明は、特許法第２９条第２項の規定により特許出願の際に独立して特許を受けることができないものであるから、本件補正は、平成１４年改正前特許法第１７条の２第５項において準用する特許法第１２６条第５項の規定に違反するものであり、特許法第１５９条第１項の規定において読み替えて準用する特許法第５３条第１項の規定により却下すべきものである。
　
　よって、上記結論のとおり決定する。
　　
［３］本願発明について
　
１．本願発明
　平成１９年８月３日付け手続補正書によりなした補正は上記の通り却下されたので、本件出願の請求項１乃至３に係る発明は、平成１９年４月２７日付け手続補正書により補正された明細書及び出願当初の図面の記載からみて、特許請求の範囲の、請求項１乃至３に記載された事項により特定されるものであり、その中で請求項１に係る発明は以下の通りである（以下、「本願発明」という。）。
　
（１）本願発明（再掲）
　「【請求項１】　薬剤タンクを機体の下方及び両側方に沿わせて配置し、該薬剤タンクの中央部を細く構成し、該薬剤タンクの前方に散布器の駆動装置を設けて、該散布器を駆動するモータによりインペラを直接駆動し、空中にて薬剤を散布する無線操縦式ヘリコプターに搭載される薬剤散布装置において、該薬剤タンクの下部と、前記散布器との間に仕切弁装置を介在させ、該仕切弁装置は、前後方向または左右方向にスライド板をスライドさせる第一の薬剤落下量調節部と、該スライド板の下方の薬剤通過パイプを横断するシャッターを開閉させる第二の薬剤落下量調節部を設け、該第一の薬剤落下量調節部を構成するスライド板は手動で薬剤に合わせた落下量を調整すべく構成し、該第二の薬剤落下量調節部のシャッターは、飛行時に無線操縦によりバッテリの電力で駆動し、散布量を調節したり、閉じて散布停止を可能としたことを特徴とする無線操縦式ヘリコプターに搭載する薬剤散布装置。」
　
２．刊行物１に記載された発明
　刊行物１には、上記［２］、３、ａ）〜ｄ）のことが記載されており、これらのこと、及び図１乃至４の記載を総合、勘案すると、刊行物１には以下の発明が記載されているといえる。
　
　「大径のタンク２、落下供給通路３及び合流点３ａからなる薬剤貯留部を機体の下方及び両側方に沿わせて配置し、該薬剤貯留部の落下供給通路及び合流点３ａを細く構成し、該薬剤貯留部の前方に散布装置ＳのＤＣモータ５を設けて、該散布装置Ｓを駆動するＤＣモータ５により遠心放出板４を直接回転駆動し、空中にて薬剤を散布するラジコンヘリ１に搭載される薬剤散布装置において、該薬剤貯留部の下部と、前記散布装置Ｓとの間に２つの調量機構を介在させ、当該２つの調量機構は、枢止ピン１０まわりに調量シャッター８をスライドさせる第一の調量機構と、該調量シャッター８の下方の排出管路３ｂを横断する開閉シャッター１６を開閉させる第二の調量機構を設け、該第一の調量機構を構成する調量シャッター８は手動で薬剤に合わせた落下量を調整すべく構成し、該第二の調量機構の開閉シャッター１６は、閉じて散布停止を可能としたラジコンヘリ１に搭載する薬剤散布装置。」（以下、「刊行物１に記載された発明２」という。）
　
３．対比
　本願発明と刊行物１に記載された発明２とを対比すると、刊行物１に記載された発明２の備える「薬剤貯留部」、「散布装置Ｓ」、「ＤＣモータ５」、「遠心放出板４」、「ラジコンヘリ１」、「２つの調量機構」、「第一の調量機構」、「第二の調量機構」、「調量シャッター８」、「排出管路３ｂ」、「開閉シャッター１６」及び「サーボモータ７」は、それぞれ本願発明の備える「薬剤タンク（２）」、「散布器（５）」、「モータ（２１）」、「インペラ」、「無線操縦式ヘリコプター」、「仕切弁装置（４）」、「第一の薬剤落下量調節部」、「第二の薬剤落下量調節部」、「スライド板（２８）」、「薬剤通過パイプ」、「シャッター（１９）」及び「サーボモーター」に相当し、また、刊行物１に記載された発明の備える「ＤＣモータ５」は散布装置Ｓの遠心放出板４を駆動するものであるから、本願発明の備える散布器（５）の「駆動装置」でもあることは明らかである。
　
　したがって、両者は、「薬剤タンクを機体の下方及び両側方に沿わせて配置し、該薬剤タンクの中央部を細く構成し、該薬剤タンクの前方に散布器の駆動装置を設けて、該散布器を駆動するモータによりインペラを直接駆動し、空中にて薬剤を散布する無線操縦式ヘリコプターに搭載される薬剤散布装置において、該薬剤タンクの下部と、前記散布器との間に仕切弁装置を介在させ、該仕切弁装置は、スライド板をスライドさせる第一の薬剤落下量調節部と、該スライド板の下方の薬剤通過パイプを横断するシャッターを開閉させる第二の薬剤落下量調節部を設け、該第一の薬剤落下量調節部を構成するスライド板は手動で薬剤に合わせた落下量を調整すべく構成し、該第二の薬剤落下量調節部のシャッターは、閉じて散布停止を可能とした無線操縦式ヘリコプターに搭載する薬剤散布装置。」である点一致し、以下の相違点を有するものである。
　
〈相違点〉
（１）本願補正発明の備える「スライド板」は、「前後方向または左右方向に」スライドさせるものであるのに対し、刊行物１に記載された発明２の備える「調量シャッター８」は、「枢止ピン１０まわりに」スライドさせるものである点（以下、「相違点３」という。）。
　
（２）本願発明の備える「シャッター」は、「飛行時に無線操縦によりバッテリの電力で駆動し、散布量を調節」ものであるのに対し、刊行物１に記載された発明２の備える「開閉シャッター１６」は、閉じて散布停止可能とするものである点（以下、「相違点４」という。）。
　
４．当審の判断
（１）相違点３について
　上記相違点１について判断したと同様であるが、水平又は左右方向にスライドするようなスライド機構により撒布量を調節するような機構自体は、例えば実公昭４３−１９４９６号公報に記載されているようにこの出願前周知のもの（以下、「周知技術３」という。）であり、刊行物１に記載された発明２の備える調量シャッター１６の駆動機構として当該周知技術３を採用し、上記相違点３における本願発明のようにすることは、当業者にとり、設計上、適宜に選択・採用する程度のことにすぎない。
　
（２）相違点４について
　原査定の拒絶の理由に引用された、刊行物２に記載されているような周知技術２を、刊行物１に記載された発明２に採用し、上記相違点４における本願発明のようにすることは、当業者にとり通常の創作力の範囲でなしうる程度のことにすぎない。
　
　また、本願発明を全体としてみても、刊行物１に記載された発明２並びに周知技術２及び３と比べ、格別顕著な効果が生じたものとも認められない。　
５．むすび、
　したがって、本願発明は、刊行物１に記載された発明２並びに周知技術２及び３に基づいて、当業者が容易に発明をすることができたものであるから、特許法第２９条第２項の規定により特許を受けることができない。
　
　よって、上記結論の通り審決する。